(57)【要約】【課題】陰圧又は陽圧を作用させるファンフィルタユニットの大型化を招くことなく、陽圧及び陰圧の切り替え使用可能な換気ブースを提供する。【解決手段】ベッド面の頭側領域を覆い該ベッド面の残部を露出させる包囲体と、該包囲体内を陰圧又は陽圧に保持すべく包囲体内から空気を吸引し又は包囲体内に空気を供給するファンフィルタユニットとを含む換気ブース。前記ユニットは、互いに対向する面の一方に空気を吸い込むための吸入開口が設けられ互いに対向する面の他方に空気を吹き出すための吹出開口が設けられたハウジングと、該ハウジング内で前記両開口を連通する空気通路に該空気通路を横切って配置され、吸込開口から吹出開口へ向けての空気流を生成するための送風源及び吸込開口からの空気を浄化するためのフィルタとを備える。ハウジングの吹出開口及び吸入開口は、包囲体に設けられた取付け開口に接続手段を介して選択的に取り外し可能に接続される。【選択図】図１
2010269121.tif 000002
【特許請求の範囲】
【請求項１】
ベッドのベッド面の頭側領域の上方を覆い前記ベッド面の残部を露出させる包囲体と、該包囲体を支持するフレーム組立体と、前記包囲体内を陰圧又は陽圧に保持すべく前記包囲体内から空気を吸引し又は前記包囲体内に空気を供給するための送風装置とを含む換気ブースであって、
前記包囲体は天井部及び周壁部を有し、該周壁部には前記送風装置のための取付け開口が設けられ、
前記送風装置は、互いに対向する面の一方に空気を吸い込むための吸入開口が設けられ前記互いに対向する面の他方に空気を吹き出すための吹出開口が設けられたハウジングと、該ハウジング内で前記両開口を連通する空気通路に該空気通路を横切って配置され、前記吸込開口から前記吹出開口へ向けての空気流を生成するための送風源及び前記吸込開口からの空気を浄化するためのフィルタとを備えるユニット装置であり、前記ハウジングの前記吹出開口及び前記吸入開口は接続手段を介して選択的に前記周壁部の前記取付け開口に取り外し可能に接続され、前記送風源は一方向へのみ駆動回転される、換気ブース。
【請求項２】
前記包囲体の前記天井部は前記頭側領域の上方に位置して前記ベッド面の頭側縁部に対応する一辺及び該一辺の両端から前記ベッド面の両側縁に沿って延びる一対の辺を含む全体に矩形の形状を有し、前記周壁部は前記天井部の各辺から前記ベッド面に向けてそれぞれ垂下する４つの周壁部を有し、前記ベッド面の足元側に位置する前記周壁部を除く他の３つの前記周壁部の下縁は前記ベッド面又は該ベッド面上の寝具に接し、前記足元側に位置する前記周壁部の下縁は、前記他の３つの周壁部の下縁よりも上方に位置し、かつ前記ベッド上に臥した人の両側で空気の流通を許す間隙を保持すべく前記ベッド面又は該ベッド面上の寝具から間隔をおく、請求項１に記載の換気ブース。
【請求項３】
前記取付け開口は、前記他の３つの周壁部のいずれか一つに設けられており、前記ユニット装置は、前記取付け開口を経て前記包囲体内から空気を吸引し又は前記包囲体内に空気を供給すべく、前記フレーム組立体に取り外し可能に支持されている、請求項２に記載の換気ブース。
【請求項４】
前記接続手段は、前記ハウジングの前記両開口のそれぞれを取り巻いて配置され、相互に解除可能に係合する第１及び第２の係合部のいずれか一方が設けられた第１の接合面と、前記周壁部に前記取付け開口を取り巻いて配置され、前記第１部及び第２の係合部の他方が設けられた第２の接合面とを有し、前記接続手段により前記包囲体に前記吹出開口及び前記吸入開口の一方が選択的に接続される、請求項３に記載の換気ブース。
【請求項５】
前記接続手段は、前記第１及び第２の係合部が相互に解除可能に係合する多数のフック部及びループ部の一方及びその他方からそれぞれ成る面ファスナである、請求項４に記載の換気ブース。
【請求項６】
前記ユニット装置は、前記ハウジングに設けられた支持部材を介して前記フレーム組立体に取り外し可能に支持されている、請求項５に記載の換気ブース。
【請求項７】
前記支持部材は、前記ハウジングの前記互いに対向する面のそれぞれに設けられ、前記ユニット装置を前記フレーム組立体に取り外し可能に懸架するフック部材である、請求項６に記載の換気ブース。
【請求項８】
前記ユニット装置は２００Ｌ／分以上の送風能力を有する、請求項２に記載の換気ブース。
【請求項９】
前記包囲体内は陰圧に保持され、横臥する患者の身体の長手方向に沿った前記包囲体の寸法は、４０ｃｍ以上に設定されている、請求項２に記載の換気ブース。
【請求項１０】
前記包囲体の前記第４の周壁部の下縁よりも上方の位置にあって隣接する周壁部の稜線に直交する方向に延在しかつ相互に解除可能に係合する多数のフック部及びループ部の一方及びその他方からそれぞれ成る面ファスナの帯が、第１ないし第４の周壁部の内側に取り付けられた、請求項１に記載の換気ブース。
【請求項１１】
前記面ファスナの前記フック部及びループ部の一方が前記第１ないし第４の周壁部の前記稜線を形成すべく隣接する両周壁部の一方に設けられ、前記フック部及びループ部の他方が前記稜線を形成すべく隣接する両周壁部の他方に設けられている、請求項１０に記載の換気ブース。
【請求項１２】
前記包囲体には、第１ないし第４の周壁部が隣接して形成する四つの稜線のうちの少なくとも一つを通る又は周壁部そのものを鉛直方向に通る切断線が頭合わせファスナで構成されている、請求項１に記載の換気ブース。
【発明の詳細な説明】
【技術分野】
【０００１】
本発明は、感染した又は感染が疑われる患者から放出される浮遊結核菌や浮遊ウイルスのような浮遊微生物による院内感染の防止を目的として感染症患者を収容し、あるいは花粉症のようなアレルギー症状の患者を浄化環境下に置くことを目的として患者を収容すべく、医療機関、介護福祉施設及び歯科診療施設等に設置される換気ブースに関する。
【背景技術】
【０００２】
保菌患者を収容する病室用空調システムが提案されている（例えば、非特許文献１参照）。前記病室用空調システムは、ベッド全体を収容する室内を構成すべく該ベッドの全体を取り巻く例えばビニールからなる包囲体と、該包囲体内に陰圧を作用するためのファン装置のような陰圧源とを備える。前記包囲体内のベッドに横たわった患者から放出される浮遊菌や浮遊ウイルスのような浮遊微生物は、前記ファン装置に組み込まれたＨＥＰＡフィルタに捕獲されるので、これら浮遊微生物による院内感染を防止することができる。
【０００３】
また、ベッドの全体を覆うことなく、その一部を包囲体で被い、該包囲体内に陽圧源となる送風手段からの浄化空気を供給することにより、該包囲体内を陽圧に保持してクリーンブースを構成することが提案されている（例えば特許文献１）。これによれば、ベッドの全体を覆う包囲体を用いる場合に比較して、送風手段の容量の小型化が可能となり、包囲体で被われた陽圧ブース内に花粉症のようなアレルギー症状の患者を収容することにより、患者を浄化環境下におくことができる。
【０００４】
しかしながら、前記した従来技術によれば、そのいずれも、陽圧ブース及び陰圧ブースの切り替え使用を可能とするためには、陰圧源及び陽圧源がそれぞれ個別に必要となり、構成要素の増加から、構成が複雑となり、高価になるという欠点がある。あるいは陽圧ブース及び陰圧ブースの切り替え使用を可能とするために、陰圧源又は陽圧源のフィルタの取り換えを含む改変作業が必要になるので、切り替え作業に手間取る。
【先行技術文献】
【特許文献】
【０００５】
【特許文献１】特開平１１−１６６７５６号公報
【非特許文献】
【０００６】
【非特許文献１】「ベッドアイソレータ  LI−３５」、カタログ、パンデミック対策資料ダウンロード[online] ２００８年８月２９日、株式会社アイソテック、[平成21年3月19日検索]、インターネット〈http://www.iiso.co.jp/download_top.htm〉
【発明の概要】
【発明が解決しようとする課題】
【０００７】
そこで、本発明の目的は、簡易的にベッド上の患者を覆うことができ、陰圧又は陽圧を作用させる送風装置の大型化を招くことなく、しかも陽圧及び陰圧の切り替え使用可能な換気ブースを提供することにある。
【課題を解決するための手段】
【０００８】
本発明に係る換気ブースは、ベッドのベッド面の頭側領域の上方を覆い前記ベッド面の残部を露出させる包囲体と、該包囲体を支持するフレーム組立体と、前記包囲体内を陰圧又は陽圧に保持すべく前記包囲体内から空気を吸引し又は前記包囲体内に空気を供給するための送風装置とを含む換気ブースであって、前記包囲体は天井部及び周壁部を有し、該周壁部には前記送風装置のための取付け開口が設けられ、前記送風装置は、互いに対向する面の一方に空気を吸い込むための吸入開口が設けられ前記互いに対向する面の他方に空気を吹き出すための吹出開口が設けられたハウジングと、該ハウジング内で前記両開口を連通する空気通路に該空気通路を横切って配置され、前記吸込開口から前記吹出開口へ向けての空気流を生成するための送風源及び前記吸込開口からの空気を浄化するためのフィルタとを備えるユニット装置であり、前記ハウジングの前記吹出開口及び前記吸入開口は接続手段を介して選択的に前記周壁部の前記取付け開口に取り外し可能に接続され、前記送風源は一方向へのみ駆動回転される。
【０００９】
本発明によれば、前記包囲体はベッド全体を覆うことなくベッド面の頭部側領域の上方を被い、残部を露出させる。しかも、前記周壁部の取付け開口に例えば前記送風装置の吸引開口を接続することにより、前記包囲体内を陰圧に保持することができ、陰圧ブースとして使用できる。また、前記周壁部の取付け開口に前記送風装置の吹出開口を接続することにより、前記包囲体内を陽圧に保持することができ、陽圧ブースとして使用できる。
【００１０】
したがって、前記した送風装置の両開口の一方を前記包囲体の周壁部に設けられた取付け開口に選択的に接続するように、前記包囲体への前記送風装置の取付面を選択することにより、前記送風装置にフィルタの取り換えのような改変を施すことなく、陽圧ブース及び陰圧ブースを切り替えて使用することができる。
【００１１】
また、前記したように、前記包囲体はベッド面の頭部側領域の上方を被い、残部を露出させることから、包囲体内に陰圧又は陽圧を作用させるための前記送風装置の容量の小型化が可能になり、この小型化によって、前記送風装置はユニット化が可能となる。
【００１２】
前記包囲体の前記天井部は前記頭側領域の上方に位置して前記ベッド面の頭側縁部に対応する一辺及び該一辺の両端から前記ベッド面の両側縁に沿って延びる一対の辺を含む全体に矩形の形状とすることができる。この場合、前記周壁部は前記天井部の各辺から前記ベッド面に向けてそれぞれ垂下する４つの周壁部を有し、前記ベッド面の足元側に位置する前記周壁部を除く他の３つの前記周壁部の下縁は前記ベッド面又は該ベッド面上の寝具に接し、前記足元側に位置する前記周壁部の下縁は、前記他の３つの周壁部の下縁よりも上方に位置し、かつ前記ベッド上に臥した人の両側で空気の流通を許す間隙を保持すべく前記ベッド面又は該ベッド面上の寝具から間隔をおく。これにより、前記足元側の周壁部の下縁の両側部分を包囲体内すなわちブース内の空気の通気口として作用させることができる。
【００１３】
前記取付け開口は、前記足元側の周壁部を除く他の３つの周壁部のいずれか一つに設けることができる。また、前記ユニット装置は、前記取付け開口を経て前記包囲体内から空気を吸引し又は前記包囲体内に空気を供給すべく、前記フレーム組立体に取り外し可能に支持することができる。
【００１４】
前記接続手段として、前記ハウジングの前記両開口のそれぞれを取り巻いて配置され、相互に解除可能に係合する第１及び第２の係合部のいずれか一方が設けられた第１の接合面と、前記周壁部に前記取付け開口を取り巻いて配置され、前記第１部及び第２の係合部の他方が設けられた第２の接合面とを有する接続手段を採用することができる。この接続手段は、前記包囲体に前記吹出開口及び前記吸入開口の一方を選択的に接続し、また、前記周壁部の前記取付け開口と前記ユニット装置の前記吹出開口又は前記吸入開口との間のシール機能を担う。
【００１５】
前記した接続手段の一例として、前記第１及び第２の係合部が相互に解除可能に係合する多数のフック部及びループ部の一方及びその他方からそれぞれ成る面ファスナを挙げることができる。
【００１６】
前記ユニット装置は、前記ハウジングに設けられた支持部材を介して前記フレーム組立体に取り外し可能に支持することができる。
【００１７】
前記支持部材として、前記ハウジングの前記互いに対向する面のそれぞれに設けられ、前記ユニット装置を前記フレーム組立体に取り外し可能に懸架するフック部材を用いることができる。
【００１８】
前記ユニット装置は２００Ｌ／分以上の送風能力を有するものを用いることが望ましい。
【００１９】
前記包囲体内が陰圧に保持されて使用されるとき、横臥する患者の身体の長手方向に沿った寸法は、４０ｃｍ以上に設定することが望ましい。
【００２０】
前記包囲体の前記第４の周壁部の下縁よりも上方の位置にあって隣接する周壁部の稜線に直交する方向に延在しかつ相互に解除可能に係合する多数のフック部及びループ部の一方及びその他方からそれぞれ成る面ファスナの帯を第１ないし第４の周壁部の内側に取り付けることができる。この場合、前記面ファスナの前記フック部及びループ部の一方を前記第１ないし第４の周壁部の前記稜線を形成すべく隣接する両周壁部の一方に設け、前記フック部及びループ部の他方を前記稜線を形成すべく隣接する両周壁部の他方に設けることができる。この面ファスナの帯により、包囲体の下方部をベッド面の減少に応じて絞り込むことができるので、ベッドの小さな担架式ベッドに本発明の換気ブースを適用することができる。
【００２１】
前記包囲体に、第１ないし第４の周壁部が隣接して形成する四つの稜線のうちの少なくとも一つを通る又は周壁部そのものを鉛直方向に通る切断線を頭合わせファスナで構成することができる。この頭合わせファスナを構成する一対のスライダを相離れる方向へ操作することにより、一対のスライダ間にスライダ開口を形成することができる。このスライダ開口は、例えば前記換気ブースを透析治療用ベッドに適用する場合、透析装置からベッド上の患者に延びる透析治療用血液チューブの挿通孔として利用することができる。
【発明の効果】
【００２２】
本発明によれば、前記したように、包囲体自体の小型化が可能になる上、該包囲体内に陰圧又は陽圧を作用させるための送風装置の送風能力の著しい低減が可能となるので、送風装置をユニット化することができ、このユニット化された前記送風装置の両開口の一方を前記包囲体の周壁部に設けられた取付け開口に選択的に接続するように、前記包囲体への前記送風装置の取付面を選択することにより、前記送風装置にフィルタの取り換えのような改変を施すことなく、陽圧ブース及び陰圧ブースを切り替えて使用することができる。
【図面の簡単な説明】
【００２３】
【図１】本発明に係る換気ブースの斜視図であり、
【図２】図１に示したファンフィルタユニットを包囲体から取り外した状態を示す概略的な斜視図であり、
【図３】図１に示したファンフィルタユニットの使用形態を示す概略的な断面図であり、（ａ）は陰圧源として使用し、（ｂ）は陽圧源として使用した例を示し、
【図４】本発明に係る換気ブース内での微粒子の濃度の経時変化を示すグラフであり、
【図５】本発明に係る換気ブースの他の例を示す正面図であり、
【図６】図１に示した包囲体に錘を適用した例を示し、（ａ）は横断面を示し、（ｂ）は正面図を示し、
【図７】本発明に係る換気ブースのさらに他の例を標準ベッドに適用した例を概略的に示す斜視図であり、
【図８】図７に示した換気ブースを標準ベッドよりも小さなベッド幅の担架式ベッドに適用した例を概略的に示す斜視図であり、
【図９】本発明に係る換気ブースのさらに他の例を標準ベッドに適用した例を概略的に示す斜視図であり
【図１０】本発明に係る換気ブースのさらに他の例を示す図９と同様な図面であり、
【図１１】は図１０に示した換気ブースの包囲体内を該包囲体に設けられた線ファスナで開放した例を示す斜視図である。
【発明を実施するための形態】
【００２４】
本発明に係る換気ブース１０は、図１に示されているように、患者１２が横たわるベッド１４に関連して設けられる。換気ブース１０は、フレーム組立体１６と、該フレーム組立体に支持される包囲体１８と、該包囲体内すなわちブース内を陰圧又は陽圧に保持するための送風装置たるファンフィルタユニット２０とを含む。
【００２５】
フレーム組立体１６は、ベッド下に配置可能な全体に矩形のベース部１６ａと、該ベース部の一部から上方に立ち上がる柱部１６ｂと、該柱部の頂部からベース部１６ａと間隔をおいて該ベース部と平行に延び、またベッド１４のベッド面１４ａ（又は該ベッド面上の図示しないマット面）上を被うように該ベッド面の上方を横切って延びる全体に矩形の天井部１６ｃとを備える。
【００２６】
図示の例では、柱部１６ｂは、それぞれが一対の短辺フレーム部材２２ａ、２２ａ及び一対の長辺フレーム部材２２ｂ１、２２ｂ２から成る矩形の下枠２４ａ及び上枠２４ｂと、下枠２４ａの４隅から立ち上がり、両枠２４ａ、２４ｂの４隅を連結する４本の柱２２ｃとで構成される直方体フレームで構成されている。柱部１６ｂを前記した直方体フレームで構成することにより、ファンフィルタユニット２０が後述するようにフレーム組立体１６に取り付けられたとき、該フレーム組立体のバランスの崩れが防止され、これによりファンフィルタユニット２０が確実に保持される。
【００２７】
また、柱部１６ｂには、上枠２４ｂの一対の長辺フレーム部材２２ｂ１、２２ｂ２のうち、天井部１６ｃの伸長方向の側に位置する一方の長辺フレーム部材２２ｂ２の近傍下方で該長辺フレーム部材２２ｂ２に平行に、補助の横フレーム部材２２ｄが設けられている。当該長辺フレーム部材２２ｂ２及び補助の横フレーム部材２２ｄ間には、一対の補助の縦フレーム部材２２ｅ、２２ｅが設けられている。横フレーム部材２２ｄは、両端が対応する柱２２ｃに連結されており、補助の縦フレーム部材２２ｅ、２２ｅは、両端が対応する長辺フレーム部材２２ｂ２及び補助の横フレーム部材２２ｄに連結されている。これら上枠２４ｂの長辺フレーム部材２２ｂ２、補助の横フレーム部材２２ｄ及び一対の補助の縦フレーム部材２２ｅ、２２ｅは、包囲体１８の後述する開口部（２６）に対応する取付け開口２６を区画する。
【００２８】
ベース部１６ａは、一対のベースフレーム部材２２ｆ、２２ｆと、両ベースフレーム部材２２ｆ、２２ｆを連結する連結フレーム部材２２ｇとを含む。これらフレーム部材２２ｆ、２２ｆ、２２ｇは、柱部１６ｂの長辺フレーム部材２２ｂ１と共に、天井部１６ｃとほぼ同一面積の矩形形状を呈するように、継ぎ手を介して組まれており、また、長辺フレーム部材２２ｂ２は、継ぎ手を介して一対のベースフレーム部材２２ｆ、２２ｆに連結されることにより、ベース部１６ａを補強する作用をなす。
【００２９】
一対のベースフレーム部材２２ｆ、２２ｆは、下枠２４ａの対応する短辺フレーム部材２２ａから下枠２４ａの内方へそれぞれ間隔を置いて配置されている。これにより、ベッド１４の脚１４ｂのうち、ベッド面１４ａ（又は前記マット面、以下ではベッド面で代表する。）の頭部側（患者１２の頭１２ａが位置する側）に位置する一対の脚１４ｂの一方（１４ｂ１）を該脚に近接する一方のベースフレーム部材２２ｆに干渉させることなく、ベース部１６ａをベッド１４の下方に挿入することができる。
【００３０】
このベース部１６ａのベッド１４下への挿入により、前記したように、フレーム組立体１６の天井部１６ｃをベッド１４のベッド面１４ａ上を被うように配置することができる。
【００３１】
フレーム組立体１６の天井部１６ｃは、上枠２４ｂの他方の長辺フレーム部材２２ｂ１にそれぞれの端部が接続され、柱部１６ｂの対応する短辺フレーム部材２２ａに平行に、前記一方の長辺フレーム部材２２ｂ２を越えて伸長する一対のトップフレーム部材２２ｈ、２２ｈと、両トップベースフレーム部材２２ｈ、２２ｈの伸長端に両端が連結された連結フレーム部材２２ｉとを備える。図示の例では、さらに柱部１６ｂの前記他方の長辺フレーム部材２２ｂ１及び連結フレーム部材２２ｉ間、すなわち柱部１６ｂ及びトップベースフレーム部材２２ｈ、２２ｈの最遠部間には、一対のトップフレーム部材２２ｈ、２２ｈ間で補強フレーム部材２２ｊが渡されている。これらフレーム部材２２ｈ〜２２ｊで構成される天井部１６ｃは、ベッド面１４ａの頭部側の一半の上方をベッド面１４ａの一側から該ベッド面を横切って他側に向けて伸長する。
【００３２】
図示の例では、フレーム組立体１６の移動を容易にするために、該フレーム組立体の下枠２４ａ及びベース部１６ａには、病室の床２８を転動可能のキャスタ３０が設けられている。このキャスタ３０によって、換気ブース１０をベッド１４に関して所望の方向から後述するような所定の姿勢及び位置に容易に設定することができる。
【００３３】
包囲体１８は、例えばビニールのような透明な可撓性を有する遮蔽膜からなり、全体に矩形の天井部１８ａと、該矩形の天井部の各辺に沿って下方に垂れ下がる第１ないし第４の周壁部１８ｂ、１８ｃ、１８ｄ及び１８ｅとを備える。
【００３４】
包囲体１８の天井部１８ａは、直線の４つの辺３２ａ、３２ｂ、３２ｃ及び３２ｄで形成された矩形形状を有する。一辺３２ａは、フレーム組立体１６の一対のトップフレーム部材２２ｈ、２２ｈのうち、ベッド面１４ａの頭側の縁部に沿って位置する一方のトップフレーム部材２２ｈに沿う。辺３２ｂ及び３２ｃは、辺３２ａの両端からそれぞれ連結フレーム部材２２ｉ及び前記一方の長辺フレーム部材２２ｂ２に沿って、すなわちベッド面１４ａの両側縁に沿って延びる。辺３２ｄは、前記一対の辺３２ｂ、３２ｃの伸長端の間で辺３２ａに並行する。
【００３５】
天井部１８ａの一辺３２ａからは頭側の第１の周壁部１８ｂがベッド面１４ａに向けて垂れ下がり、頭側周壁部１８ｂは、その下縁がベッド面１４ａを越えて該ベッド面よりも下方に達するに十分な高さ寸法を有する。天井部１８ａの辺３２ｂ、３２ｃからは、それぞれ側方の周壁部１８ｃ、１８ｄがベッド面１４ａに向けて垂れ下がる。これら両側方周壁部１８ｃ、１８ｄは、それぞれの下縁がベッド面１４ａを越えて該ベッド面よりも下方に達するに十分な高さ寸法を有する。両側方周壁部１８ｃ、１８ｄのうち、天井部１８ａの一辺３２ｃ側に位置する一方の側方周壁部１８ｄには、取付け開口２６に一致した開口部（２６）が形成されており、この開口部（２６）に関連して前記ファンフィルタユニット２０が取り付けられている。
【００３６】
他方、天井部１８ａの一辺３２ｄからベッド面１４ａに向けて垂れ下がる足元側の周壁部１８ｅは、その下縁３４がベッド面１４ａの近傍に位置するが、基本的にベッド面１４ａから間隔をおく。
【００３７】
天井部１８ａ及び各周壁部１８ｂ〜１８ｄから成る包囲体１８は、天井部１８ａを頂部とする下端開放のような状態となるように、該天井部で、図示しない複数のフックを介してフレーム組立体１６の天井部１６ｃにその下方に吊り下げられている。
【００３８】
すなわち、天井部１８ａは、その両辺３２ａ、３２ｄの両辺に沿った複数箇所で、前記フックを介しては、フレーム組立体１６の一対のトップフレーム部材２２ｈ、２２ｈのそれぞれに移動可能に吊り下げられている。これにより、包囲体１８は、ベッド１４の幅方向に沿った寸法を調整可能となる。なお、フレーム組立体１６の柱部１６ｂの側に位置する前記一方の側方周壁部１８ｄが柱部１６ｂから離れることを防止するために、天井部１８ａの辺３２ｄと辺３２ｃ及び辺３２ａと辺３２ｃでそれぞれ構成される隅部に前記フックを設け、該フックを前記一方の長辺フレーム部材２２ｂ２に係止することが望ましい。
【００３９】
天井部１８ａからベッド面１４ａに向けて伸びる頭側及び両側の各周壁部１８ｂ〜１８ｄは、前記したように、ベッド面１４ａよりも下方に垂れ下がるに十分な高さ寸法を有することから、各周壁部１８ｂ〜１８ｄは、該周壁部とベッド面１４ａの対応する縁部との間を閉鎖すべく、該縁部に当接可能である。
【００４０】
他方、天井部１８ａの一辺３２ｄからベッド面１４ａに向けて垂れ下がる足元側周壁部１８ｅは、その下縁３４がベッド面１４ａの近傍に位置するが、基本的にベッド面１４ａから間隔をおく。足元側周壁部１８ｅの下縁３４は、ベッド上の盛り上がり部分であるベッド上の患者１２又は該患者に施した上掛け寝具（図示せず）の患者１２で盛り上がった部分で、これらの盛り上がり部分に当接しても良いが、下縁３４は、これらの盛り上がり部分を除く領域で、ベッド面１４ａあるいは前記上掛け寝具から間隔をおく。そのため、足元側周壁部１８ｅの下縁３４は、患者１２のほぼ体の厚み分だけ、他の第１ないし第３の周壁部１８ｂ〜１８ｄの前記下縁よりも上方に位置する。
【００４１】
換言すれば、足元側周壁部１８ｅの下縁３４は、ベッド面１４ａに患者１２が横たわったとき、該患者の両側で、ベッド面１４ａあるいは前記上掛けとの間に、間隔ｔの隙間が形成される天井部１８ａからの長さを有する。しかしながら、周壁部１８ｅは、その下縁３４の中央部分すなわち患者１２の両側部分間の中央領域で、患者１２あるいは患者を被う上掛けに接する長さを有する。したがって、患者１２の両側で、足元側周壁部１８ｅの下縁３４下に間隙ｔが保持される。
【００４２】
足元側周壁部１８ｅは、例えば、図示しない巻取装置を介して天井部１８ａから懸架することができ、前記巻取装置により、足元側周壁部１８ｅの下縁３４の高さ位置すなわち前記間隙ｔを調整可能とすることができる。また、前記巻取装置を設ける例に代えて、足元側周壁部１８ｅの下縁３４を巻き上げることにより、前記間隙ｔを調整することができる。
【００４３】
天井部１８ａ及び足元側、頭側及び両側方の各周壁部１８ｂ〜１８ｅから成る包囲体１８は、ベッド１４に患者１２が横たわったとき、該患者のほぼ上半身を被うブースをベッド面１４ａ上に区画する。このベッド１４上のブースへの出入りは、例えば一方の側方周壁部１８ｃを下縁よりまくり上げて該周壁部分の位置から、あるいは足元側周壁部１８ｅを下縁３４よりまくり上げて該周壁部分の位置から、行うことができる。
【００４４】
ベッド１４の幅方向に沿ったブース幅Ｗは、ベッド１４上に配置された前記マットの幅よりも狭くかつ患者１２が閉塞感を覚えない寸法、例えばマット幅が８２ｃｍであれば、約７５ｃｍとすることが望ましい。また、ベッド１４の長手方向に沿ったブース深さDは、ベッド１４上の患者１２の口元位置から足元側周壁部１８ｅまで間隔が４０ｃｍ以上となるに十分な値、例えば約９０ｃｍとすることが望ましい。この包囲体１８によるブース容積は、例えば１．０ｍ３とすることができる。足元側周壁部１８ｅの前記下縁３４下の前記間隙ｔは、後述するように前記ブースの通気口として作用する。
【００４５】
送風装置２０は、前記ブース内を陰圧又は陽圧に保持すべく、換気ブース１０の周壁、すなわち図１及び図２に示す例では、前記一方の側方周壁部１８ｄに設けられている。
【００４６】
送風装置２０では、図２に示すように、送風源となるファン４２の下流側に下流へ向けて順次プレフィルタ、中又は高性能フィルタが配置されている。すなわち、送風装置２０は、前記一方の側方周壁部１８ｄの開口部（２６）に整合可能な開口３６ａ、３６ｂが互いに対向する両面に形成され、内部に両開口３６ａ、３６ｂを連通する空気通路が形成された全体に矩形のハウジング３８と、図３（ａ）及び（ｂ）に示されているように、ハウジング３８内の一方の開口３６ａを横切って、すなわち前記空気通路を横切って配置された例えば粗塵フィルタからなるプレフィルタ４０ａと、該プレフィルタに間隔をおいて他方の開口３６ｂを横切って、すなわち前記空気通路を横切って配置された準ＨＥＰＡフィルタ４０ｂと、両フィルタ４０ａ、４０ｂ間で前記空気通路を横切って配置され、一方向に駆動回転される送風源たるファン４２とを備えるユニット装置である。
【００４７】
ファン４２は、その一方向への駆動回転によって、プレフィルタ４０ａが配置された一方の開口３６ａから空気を吸引し、準ＨＥＰＡフィルタ４０ｂが配置された他方の開口３６ｂから吸引空気を吐出する。したがって、空気を吸い込む吸入開口として作用する一方の開口３６ａからハウジング３８内に吸引された空気は、プレフィルタ４０ａを経た後、準ＨＥＰＡフィルタ４０ｂを経て浄化され、空気を吹き出す吹出開口として作用する他方の開口３６ｂを経てハウジング３８外に吐出される。プレフィルタ４０ａを不要とすることができる。しかし、準ＨＥＰＡフィルタ４０ｂの目詰まりを防止し、該ＨＥＰＡフィルタの長寿命化を図る上で、プレフィルタ４０ａを用いることが望ましい。また、準ＨＥＰＡフィルタ４０ｂに代えて、ＨＥＰＡフィルタを適用することができる。
【００４８】
ハウジング３８の前記両面には、送風装置すなわちファンフィルタユニット２０をフレーム組立体１６に支持する手段として、フック４４ａ、４４ｂがそれぞれ設けられている。図２に示すように、吸入開口３６ａが開放する一方の面には、一対のフック４４ａ、４４ａが設けられ、吹出開口３６ｂが開放する他方の面には一対のフック４４ｂ、４４ｂが設けられている。各一対のフック４４ａ又は４４ｂは、選択的に上枠２４ｂの前記一方の長辺フレーム部材２２ｂ２に係止可能である。
【００４９】
例えば一方のフック４４ａ、４４ａを長辺フレーム部材２２ｂ２に係止することにより、吸入開口３６ａを取付け開口２６に整合する前記一方の側方周壁部１８ｄの開口部（２６）に整合させることができ、また他方のフック４４ｂ、４４ｂを長辺フレーム部材２２ｂ２に係止することにより、吹出開口３６ｂを、前記一方の側方周壁部１８ｄの開口部（２６）に整合させることができる。
【００５０】
前記一方の側方周壁部１８ｄの開口部（２６）と、ファンフィルタユニット２０の吸入開口３６ａ及び吹出開口３６ｂとを気密的に選択的に接続すべく、前記一方の側方周壁部１８ｄの開口部（２６）の縁部と、吸入開口３６ａ及び吹出開口３６ｂの縁部との間には、着脱可能な密閉手段として面ファスナ４６が設けられている。
【００５１】
すなわち、前記一方の側方周壁部１８ｄの外面の開口部（２６）を取り巻く縁部、ここでは４辺には、図示しないが、従来よく知られているように、相互に解除可能に係合する多数のフック部及びループ部の一方から成る第１の係合部が設けられた第１の接合面４６ａが形成されている。他方、ユニット装置であるファンフィルタユニット２０のハウジング３８の両面の各開口３６ａ、３６ｂを取り巻く縁部、例えばフランジには、多数のフック部及びループ部の他方から成る第２の係合部が設けられた第２の接合面４６ｂがそれぞれ形成されている。
【００５２】
面ファスナ４６は、従来よく知られているように、第１の接合面４６ａ及び第２の接合面４６ｂを解除可能に係合させることができる。したがって、ファンフィルタユニット２０の吸入開口３６ａを一方の側方周壁部１８ｄの開口部（２６）と接続する場合、該開口部の縁部に設けられた第１の接合面４６ａと、ファンフィルタユニット２０の吸入開口３６ａの縁部に設けられた一方の第２の接合面４６ｂとを係合させることにより、両開口３６ａ、（２６）を気密的に接合することができる。この場合、ファン４２の作動により、図３（ａ）に示すように、前記ブース内の空気は、ファンフィルタユニット２０の吸入開口３６ａから吸引され、各フィルタ４０ａ、４０ｂの濾過作用により浄化されて、吹出開口３６ｂから前記室内に排出され、前記ブース内には陰圧が作用する。このとき、足元側周壁部１８ｅの下縁３４下の前記間隙ｔは、前記ブース内に室内空気を取り入れる通気口として作用する。
【００５３】
また、ファンフィルタユニット２０の吹出開口３６ｂを一方の側方周壁部１８ｄの開口部（２６）と接続する場合、まず、一方の側方周壁部１８ｄの外面に接続されたファンフィルタユニット２０の吸入開口３６ａの縁部に設けられた一方の第２の接合面４６ｂを前記開口部（２６）の縁部に設けられた第１の接合面４６ａから引き外す。その後、前記一方の側方周壁部１８ｄの外面に対向するファンフィルタユニット２０の対向面を反転させて、ハウジング３８の吹出開口３６ｂが設けられた面を一方の側方周壁部１８ｄの外面に対向させる。この姿勢の反転後、該取付け開口の縁部に設けられた第１の接合面４６ａと、ファンフィルタユニット２０の吹出開口３６ｂの縁部に設けられた一方の第２の接合面４６ｂとを係合させることにより、両開口３６ｂ、（２６）を気密的に接合することができる。この場合、ファン４２の作動により、図３（ｂ）に示すように、前記室内の空気は、ファンフィルタユニット２０の吸入開口３６ａから吸引され、各フィルタ４０ａ、４０ｂの濾過作用により浄化されて、吹出開口３６ｂから前記ブース内に排出され、前記ブース内には陽圧が作用する。このとき、足元側周壁部１８ｅの下縁３４下の前記間隙ｔは、前記ブース内の空気を前記室内に排出する通気口として作用する。
【００５４】
前記ブース内を陰圧ブース又は陽圧ブースのいずれに使用する場合であっても、ベッド１４上の患者１２が炭酸ガス濃度の増加によって不快感を覚えないためには、ファンフィルタユニット２０の送風能力として、２００L／分以上の送風能力が要求される。
【００５５】
また、前記ブース内に所望の陰圧又は陽圧を確保する上で足元側周壁部１８ｅの下縁３４下の間隙ｔすなわち通気口（ｔ）を通る風の速度が２２ｃｍ／秒以上を確保できることが望ましい。すなわち、一般の病室では、室内空調機の作動によって室内に存在する気流の速度は０ｃｍ／秒〜２０ｃｍ／秒であり、その方向も様々であると考えられる。したがって、換気ブース１０が設置される室内の風の向きの如何に拘わらず、前記ブース内に所望の陰圧又は陽圧を確実に保持する上で、前記通気口（ｔ）の風速が２２ｃｍ／秒を維持できるように、足元側周壁部１８ｅの下縁３４下の間隔ｔを調整し、あるいはファンフィルタユニット２０の作動を制御することが望ましい。
【００５６】
本発明に係る換気ブース１０は、例えば感染した又は感染が疑われる患者１２を収容するための陰圧ブースとして使用することができる。この場合、ベッド１４上の患者１２から放出された浮遊菌や浮遊ウイルスのような浮遊微生物は、図３（ａ）に沿って説明したとおり、ファンフィルタユニット２０の準ＨＥＰＡフィルタ４０ｂにより確実に捕獲されるので、換気ブース１０を収容する病室にそのような浮遊微生物が排出されることはなく、浮遊菌による院内感染を確実に防止することができる。
【００５７】
また、患者１２から前記ブース内に放出された浮遊微生物が前記通気口ｔから漏れ出ることを確実に防止する上で、前記したように、ベッド１４の長手方向に沿った、すなわち空気の流れに沿ったブース深さDは、４０ｃｍ以上の長さが必要であり、９０ｃｍ以上とすることが望ましい。
【００５８】
なぜなら、ベッド１４上の患者１２の咳と共に前記ブース内に浮遊微生物が放出されたとしても、ブース深さDを４０ｃｍ以上とすることにより、浮遊微生物が直接前記通気口（ｔ）に到達するには、ベッド１４の長手方向へほぼ４０ｃｍ以上を進行する必要がある。ところで、咳によって放出される菌は、本願発明者等の実験によれば、４０ｃｍを進むと、その飛散速度がほぼ０に失速する。そのため、ベッド１４の長手方向に沿って４０ｃｍ以上を進んで前記通気口（ｔ）に到達した浮遊微生物は、前記通気口（ｔ）の２２ｃｍ／秒以上の風速に逆らって該通気口から前記病室内に漏れ出ることを確実に防止されるからである。
【００５９】
この場合、ベッド１４上の患者１２の口元位置から足元側周壁部１８ｅまで間隔が４０ｃｍ以上となることを保証するためには、前記したとおり、ブース深さDを約９０ｃｍとすることが望ましい。このブース深さDを確保することにより、前記浮遊微生物が前記通気口（ｔ）から前記病室内に漏れ出ることをより確実に防止し、ファンフィルタユニット２０の準ＨＥＰＡフィルタ４０ｂによって、より確実に捕獲することができる。準ＨＥＰＡフィルタ４０ｂに代えて、ＨＥＰＡフィルタを用いることができる。
【００６０】
図４は、前記した陰圧換気ブース内でネブライザーを用いて、１秒間１ｗｔ％の奨尿液（総量は３マイクロリットル）を前記ブース内に噴霧し、パーティクルカウンタを用いて噴霧後の前記ブース内に残留する０．３μｍ以上の大きさの粒子数（個数／空気１リットル）をカウントした実験結果のグラフである。該グラフは、ファンフィルタユニット２０の送風能力（リットル／分）をパラメータとして、前記ブース内の空気１リットル中の粒子数（個／リットル）及び噴霧終了後の経過時間（分）をそれぞれ縦軸及び横軸で示す。
【００６１】
特性線４８ａ、４８ｂ、４８ｃ、４８ｄ、４８ｅは、それぞれファンフィルタユニット２０の送風能力を０リットル／分，４２リットル／分、１３７リットル／分、２００リットル／分及び４２０リットル／分に設定したときの特性を示す。図４のグラフから明らかなように、ファンフィルタユニット２０の送風能力を２００リットル／分とすることにより、前記換気ブース内に残留する粒子数を迅速に噴霧直後のそれの約１０分の１に低減し、かつそのレベルを維持することができる。
【００６２】
したがって、ファンフィルタユニット２０の送風能力を２００リットル／分以上とすることにより、たとえ前記ブース内の空気が室内に漏れ出しても、この漏れ出しによる感染防止比率を大きく低減することができる。
【００６３】
また、相対湿度が５０％RHを越えると浮遊インフルエンザウイルスの失活が著しくなるとの論文報告（Haper, G. J., Airborne micro-organisms, Survival test with four viruses, J. hyg.,Camb (1961), 59, p479-486）が見られる。このことから、前記ブース内のインフルエンザウイルスの生存率を低減させ、これにより前記ブースからのウイルス漏洩リスクの実質的な低減を図る上で、前記ブース内の相対湿度を５０％RH以上に保持することが望ましく、そのために、前記ブース内に加湿器を配置することができる。
【００６４】
本発明に係る換気ブース１０は、花粉症のようなアレルギー症状患者１２を収容するための陽圧ブースとして使用することができる。この場合、図３（ｂ）に沿って説明したように、主として準ＨＥＰＡフィルタ４０ｂで浄化された室内空気が、前記ブース内に供給される。したがって、アレルギー症の患者１２を確実にアレルギー源から保護できるので、そのような症状の患者１２の例えば点滴治療あるいは透析治療に用いることができる。なお、このような使用では、準ＨＥＰＡフィルタ４０ｂに代えて中性能フィルタを用いることができる。
【００６５】
本発明に係る換気ブース１０によれば、陰圧及び陽圧のいずれの使用においても、包囲体１８は、ベッド１４の全域を被うことなく、ベッド面１４ａ（マット面をも含む）の頭部側領域を含む一半の上方を被い、残部を露出させる。また、包囲体１８の足元側周壁部１８ｅの下縁３４と該下縁に間隔ｔをおくベッド面１４ａ又は該ベッド面上の寝具との間が、ブース内への通気口（ｔ）となる。そのため、包囲体１８自体の小型化が可能になる上、該包囲体内に陰圧又は陽圧を作用させるための送風装置であるファンフィルタユニット２０の送風能力の著しい低減が可能となる。
【００６６】
また、包囲体１８が小型化することから、該包囲体の定期的な清掃作業が容易に行える。
【００６７】
さらに、ファンフィルタユニット２０の室内に面するフィルタ面は、ファンフィルタユニット２０がブースの陰圧源として使用されたときはフィルタ４０ａが汚染空気の吸込口面となり、陽圧源として使用されたときはフィルタ４０ｂが浄化空気の吹出口面となる。フィルタ包囲体１８の外面に向き合うフィルタ面換気ブース１０のファンフィルタユニット２０は、図３（ａ）に示す陰圧源及び図３（ｂ）に示す陽圧源のいずれの使用態様においても、各フィルタ４０ａ及び４０ｂの異物捕獲面は、反転することはない。すなわち、ファンフィルタユニット２０は、陰圧源及び陽圧源としての使用に応じて、取付け開口２６への接続口が吸入開口３６ａ又は吹出開口３６ｂとなるように、包囲体１８への取付け姿勢が全体的に反転される。そのため、例えば準ＨＥＰＡフィルタ４０ｂの捕獲面は、陰圧源及び陽圧源としての前記した使用の切り替えに拘わらず、ファン４２に向き合った面に保持される。
【００６８】
一方、包囲体１８へのファンフィルタユニット２０の取付け姿勢を反転させることなく、陰圧源又は陽圧源への切り替えのために、ファンの駆動回転方向を反転させ、これにより、ファンフィルタユニット２０の風向を反転させると、該装置内の前記フィルタの捕獲面が反転する。この捕獲面の反転は、捕獲した異物のブース内への飛散を招く。このような事態を防止するために、前記したような運転切り替えを試みても、陰圧源及び陽圧源としての前記した使用の切り替え毎に前記フィルタ４０ａ、４０ｂの捕獲面を反転するために該フィルタの表裏を反転する必要が生じる。あるいはフィルタの捕獲面に捕獲された異物の前記室内あるいは前記ブース内への放出を防ぐために、前記各フィルタの清掃作業が必要になる。
【００６９】
これに対し、本発明に係る換気ブース１０によれば、前記した陰圧源及び陽圧源として切り替えて使用する場合、単に前記したようにファンフィルタユニット２０の包囲体１８への取付け姿勢を全体的に反転するだけで使用できる。したがって、前記フィルタ４０ａ、４０ｂの表裏を反転するためあるいは該フィルタを清掃するために、該各フィルタを取り外すことなく、また極めて短時間での切り替え作業によって、引き続き使用することが可能となる。
【００７０】
前記したところでは、ベッド１４の両側に位置する第２及び第３の周壁部１８ｃ及び１８ｄのうちの一方の側方周壁部１８ｄに取付け開口部（２６）を設けた例に沿って本願発明を説明した。この例に代えて、図５に示すように、ベッド１４上の患者１２の頭１２ａ側に位置する第１の周壁部１８ｂに取付け開口部（２６）を設け、該開口に関連してファンフィルタユニット２０を配置することができる。
【００７１】
また、ベッド面１４ａの両側に位置する両側方周壁部１８ｃ及び１８ｄと、ベッド面１４ａとの密着性を高めるために、図６（ａ）及び（ｂ）に示すように、両側方周壁部１８ｃ及び１８ｄのそれぞれに、ベッド面１４ａの長手方向に沿って延びる一対の錘５０ａ、５０ａを設け、さらに各周壁部１８ｃ及び１８ｄの下縁に互いに間隔を置いてベッド面１４ａの長手方向に配列される複数の錘５０ｂ、５０ｂを設けることができる。
【００７２】
本発明に係る換気ブース１０のさらに他の例を図７ないし１１に沿って説明する。これら図７ないし１１に示す例では、図面の簡素化のために、フレーム組立体１６が省略されている。
【００７３】
図７ないし１１の例では、図２及び３に沿って説明したファンフィルタユニット２０が、図５に示したと同様に患者１２の頭側に位置する第１の周壁部１８ｂに設けられた開口部（２６）に関連してフレーム組立体１６に取り付けられている。また、足元側の第４の周壁部１８ｅの下縁３４には、ベッド１４のベッド面１４ａ上に臥した患者１２から間隔を置いて該患者を受け入れるための下端開放の凹所３４ａが設けられており、該凹所によって患者１２の両側に通気口として作用する前記間隔ｔが形成されている。
【００７４】
図７に示す換気ブース１０は、ベッド幅Ｗ１が標準ベッド幅である８３ｃｍの標準ベッド１２に適用された例を示し、包囲体１８の天井部１８ａは、前記ベッド幅Ｗ１に沿った辺長さが該ベッド幅の寸法よりも小さく、例えば７０ｃｍに設定されている。また包囲体１８の第１ないし第３の各周壁部１８ｂ〜１８ｅは、その下縁部がベッド面１４ａに沿って曲がり、該ベッド面に重なるに充分な高さ寸法を有する。他方、足元側の第４の周壁部１８ｅの下縁には、凹所３４ａが形成されており、前記下縁は、凹所３４ａを除いてほぼベッド面１４ａに接する高さ寸法を有する。凹所３４ａは、ベッド１４上の患者１２から間隔を置いて該患者を受け入れかつ患者１２の両側に通気口となる間隔ｔを形成するに充分な大きさを有する。
【００７５】
また、隣接する各周壁部１８ｂ〜１８ｅは、ベッド面１４ａ上に重なる下縁部を除き、互いに連続して垂直方向に連続した稜線６０ａ〜６０ｄを形成する。各周壁部１８ｂ〜１８ｄの内側には、各稜線６０ａ〜６０ｄの近傍領域で、第４の周壁部１８ｅの下縁３４よりも上方の高さ位置にあって各稜線６０ａ〜６０ｄと直交する方向に延在する面ファスナの帯６２ａ、６２ｂが形成されている。
【００７６】
各稜線６０ａ〜６０ｄを形成するそれぞれの両周壁部１８ｄ及び１８ｂ、１８ｂ及び１８ｃ、１８ｃ及び１８ｅ、１８ｅ及び１８ｄの一方には、例えば多数の前記フック部が設けられた面ファスナの帯６２ａが係合面を包囲体１８内に向けて水平方向に延在するように形成されている。また、両周壁部１８ｄ及び１８ｂ、１８ｂ及び１８ｃ、１８ｃ及び１８ｅ、１８ｅ及び１８ｄのそれぞれの他方には、多数の前記ループ部が設けられた面ファスナの帯６２ｂが隣接して対応する面ファスナの帯６２ａと係合可能に係合面を包囲体１８内に向けて水平方向に形成されている。これらの面ファスナの帯６２ａ、６２ｂの配置は、各稜線６０ａ〜６０ｄを間にして相互に隣接する面ファスナの帯６２ａ、６２ｂが係合可能となる限り、適宜変更することができる。
【００７７】
この面ファスナの帯６２ａ、６２ｂは、前記換気ブース１０が図８に示すような担架式ベッド１４に適用されたとき、効果を発揮する。すなわち、天井部１８ａの前記ベッド幅に沿った辺長さを例えば７０ｃｍに設定した換気ブース１０を担架式ベッド１４に適用しようとすると、該担架式ベッドの幅寸法Ｗ２は５５ｃｍであり、これは天井部１８ａの前記ベッド幅に沿った辺長さよりも１５ｃｍも小さい。したがって、図７に示した換気ブース１０をそのまま担架式ベッド１４に適用しようとすると、ベッド１４両側に位置する両側の周壁部１８ｃ及び１８ｄがベッド面１４ａに重ならず、ベッド１４の両側から間隔をおいて垂れ下がる。そのため、両側の周壁部１８ｃ及び１８ｄとベッド１４の両側との間に大きな間隙が生じ、この間隙を経て過大な空気の漏れが生じることから、ファンフィルタユニット２０に必要な送風能力の増大を招く結果となり、延いてはファンフィルタユニット２０の大型化を招き、本願発明の効果を奏し得ない結果を招く。
【００７８】
このような事態を避けるために、図７に示した前記換気ブース１０を担架式ベッド１４に適用する場合、図８に示されているように、各稜線６０ａ〜６０ｄを間にして配置された互いに対応する面ファスナの帯６２ａ、６２ｂを密着させて係合させることができる。この対応する面ファスナの帯６２ａ、６２ｂの係合により、ベッド面１４ａ上での包囲体１８のベッド幅Ｗ２に沿った幅寸法をベッド幅Ｗ２よりも小さく絞り込むことができ、この絞り込みにより、担架式ベッド１４に拘わらず、両側の周壁部１８ｃ及び１８ｄの下縁部をベッド面１４ａ上に重ね合わせることができる。したがって、両側の周壁部１８ｃ及び１８ｄと担架式ベッド１４の両側との間に大きな間隙が生じることを防止することができる。その結果、第４の周壁部１８ｅの下縁３４に形成された下縁３４によって適正な通風口が保持されるので、ファンフィルタユニット２０の送風能力の増大を招くことなく、包囲体１８内の空気流を適正に維持することができる。
【００７９】
図９に示す換気ブース１０は、人工透析治療の実施に使用された例を示す。この換気ブース１０では、前記した面ファスナの帯６２ａ、６２ｂに加えて、各稜線６０ａ〜６０ｄに沿った切断線に沿って線ファスナ６４が設けられており、さらに両側の周壁部１８ｃ、１８ｄには稜線６０ａ〜６０ｄに平行な切断線に沿ってファスナ６６が設けられている。
【００８０】
図９に示す例では、線ファスナ６４及び６６は、いずれも、稜線６０ａに設けられた線ファスナ６４に代表的に示されているように、上方スライダ及び下方スライダから成る一対のスライダ６８ａ、６８ｂを有する従来よく知られた頭合わせファスナである。この頭合わせファスナ６４及び６６によれば、従来よく知られているように、一対のスライダ６８ａ、６８ｂが相離れるように該スライダをファスナエレメントである務歯に沿って移動させることにより、一対のスライダ６８ａ、６８ｂ間で務歯の係合を解除することができる。これにより、一対のスライダ６８ａ、６８ｂ間に所望の開口部７０ａ、７０ｂを形成することができる。
【００８１】
図９では、一方の側壁部１８ｃに設けられた線ファスナ６６に開口部７０ａが形成され、稜線６０ａに設けられた線ファスナ６４に開口部７０ｂが形成されている。一方の開口部７０ａには、換気ブース外に配置された透析装置７２からベッド１４上の換気ブース内に延びる２本のチューブ７２ａ、７２ｂが貫通して配置されている。一方のチューブ７２ａはベッド１４上の患者１２から透析処理のための血液を透析装置７２に送り、他方のチューブ７２ｂは透析装置７２で透析処理後の血液を患者１２に戻すために、各チューブ７２ａ、７２ｂの先端は、患者１２の血管に穿刺されている。
【００８２】
両チューブ７２ａ、７２ｂを包囲体１８の下端から該包囲体内に差し入れることができるが、この場合、両チューブ７２ａ、７２ｂは包囲体１８の下端とベッド面１４ａとで挟まれた状態となる。そのため、透析治療中の患者１２が体を動かしたとき、穿刺された各チューブ７２ａ、７２ｂの先端が抜け落ちたり、あるいはベッド面１４ａから持ち上げた包囲体１８の下端を誤ってチューブ７２ａ、７２ｂ上に落としたとき、同様に穿刺された各チューブ７２ａ、７２ｂの先端が抜け落ちたりして、不慮の事故を引き起こしかねない。このような事故は、点滴治療及び輸血治療でも生じ得る。
【００８３】
本発明の換気ブース１０では、前記したように、線ファスナ６６の開口部７０ａにチューブ７２ａ、７２ｂを通すことにより、該チューブが包囲体１８の下端とベッド面１４ａとで挟まれることがないので、透析治療に限らず、点滴治療及び輸血治療等での前記したような不慮の事故を確実に防止することができる。
【００８４】
また、図９に示す例では、他方の開口部７０ｂは、液晶モニタテレビ７４を支持するためのアーム７４ａの挿通を許す。アーム７４ａはブース外から開口部７０ｂを経て換気ブース内に延び、その先端で液晶モニタテレビ７４の本体を支持する。透析治療は、通常、４時間にも及ぶことから、その間のテレビの視聴は患者１２にとっては欠かせない娯楽となる。
【００８５】
線ファスナ６４及び６６は、図示の例に限らず、必要個数を必要箇所に設置することができる。また、線ファスナ６４及び６６として前記したような頭合わせファスナを採用することにより、ファスナのほぼ長さ範囲内で該ファスナに沿って所望の高さ位置に所望の長さの開口部７０ａ、７０ｂを形成することができる。各線ファスナ６４及び６６は、次に示すように、下端にオープンファスナ方式を採用することが望ましい。
【００８６】
図１０及び１１に示す例では、周壁部１８ｄの垂直切断線に沿って頭合わせファスナ６６が設けられており、その両スライダ６８ａ、６８ｂ間の開口部７０ａを経て透析装置７２のチューブ７２ａ、７２ｂが換気ブース内に延びる。頭合わせファスナ６６の下端はオープンファスナ方式であり、例えば図１０に示すような透析治療中に換気ブース内の患者１２の様態が急変した場合、ファスナ６６の係合を下端から解除することにより、図１１に示すように、周壁部１８ｄをその下端からファスナ６６が設けられた垂直切断線で左右に完全に分離し、包囲体１８を大きく開放させることができる。そのため、医療関係者が換気ブース内に容易に入ることができるので、緊急時の対応が迅速かつ容易に行える。
【産業上の利用可能性】
【００８７】
本発明は、上記実施例に限定されず、その趣旨を逸脱しない限り、種々に変更することができる。例えばプレフィルタを不要とすることができる。またフックからなる支持手段に代えて、支持台のような支持手段をフレーム組立体に設けることができる。
【符号の説明】
【００８８】
１０  換気ブース
１２  患者
１２ａ  患者の頭
１４  ベッド
１４ａ  ベッド面
１６  フレーム組立体
１８  包囲体
１８ａ  包囲体の天井部
１８ｂ〜１８ｅ  包囲体の周壁部
２０  ファンフィルタユニット（ユニット装置）
２６  取付け開口（開口部）
３０  キャスタ
３４  足元側周壁部の下縁
３６ａ  ファンフィルタユニットの吸引口
３６ｂ  ファンフィルタユニットの吐出口
３８  ファンフィルタユニットのハウジング
４０ａ、４０ｂ  フィルタ
４４ａ、４４ｂ  フック（支持部材）
４６  （接続手段）面ファスナ
４６ａ、６２ａ、  面ファスナの第１の接合面
４６ｂ、６２ｂ  面ファスナの第２の接合面
６４、６６  頭合わせファスナ
ｔ  間隙（通気口）
【図１】
2010269121.tif 000003
【図２】
2010269121.tif 000004
【図３】
2010269121.tif 000005
【図４】
2010269121.tif 000006
【図５】
2010269121.tif 000007
【図６】
2010269121.tif 000008
【図７】
2010269121.tif 000009
【図８】
2010269121.tif 000010
【図９】
2010269121.tif 000011
【図１０】
2010269121.tif 000012
【図１１】
2010269121.tif 000013